(57)【要約】【課題】光軸に対するスリットの位置精度および読取り光学系と原稿台ガラスとの距離精度が高いコンタクトイメージセンサを提供する。【解決手段】原稿に光を照射する棒状光源、該原稿から反射した光をスリットを介して採光するスリット付きフード、該スリットを通過した光を集光する結像光学系および該結像光学系を通過した光を受光する受光素子を、ハウジングに組み込んだ構造になるイメージセンサにおいて、該スリット付きフードとして、薄肉厚の金属製フードを用い、該金属製フードの主走査方向両端上面および該ハウジングの相当位置にそれぞれ位置決め用の穴を設け、該穴に位置決め用ピンを挿入して両者を固定し、該ハウジングを、該位置決め用ピンを介して該原稿台ガラスに押圧するための圧縮スプリングを設置し、該ハウジングの主走査方向両端側面に、上下一対の突起を設けると共に、該ハウジングを内蔵するベースフレームの両端面に、該突起を導き入れる切欠き路を設ける。【選択図】図１０
2007057995.tif 000002
【特許請求の範囲】
【請求項１】
原稿台ガラス上に載置された原稿に光を照射する棒状光源、該原稿から反射した光をスリットを介して採光するスリット付きフード、該スリットを通過した光を集光する結像光学系および該結像光学系を通過した光を受光する受光素子を、ハウジングに組み込んだ構造になるイメージセンサにおいて、
該スリット付きフードとして、薄肉厚の金属製フードを用いること、
該金属製フードの主走査方向両端上面および該ハウジングの相当位置にそれぞれ位置決め用の穴を設け、該穴に位置決め用ピンを挿入して、両者を固定すること、
該ハウジングを、該位置決め用ピンを介して該原稿台ガラスに押圧するための圧縮スプリングを設置すること、
該ハウジングの主走査方向両端側面に、上下一対の突起を設けると共に、該ハウジングを内蔵するベースフレームの両端面に、該突起を導き入れる切欠き路を設けること
を特徴とするイメージセンサ。
【請求項２】
前記スリット付きフードは、棒状光源側の角部分を面取り形状としたことを特徴とする請求項１に記載のイメージセンサ。
【請求項３】
前記スリット付きフードに、強度向上のためのベンド部を長手方向にわたって設けたことを特徴とする請求項１または２に記載のイメージセンサ。
【請求項４】
前記棒状光源を、前記結像光学系の両側に設けたことを特徴とする請求項１〜３のいずれかに記載のイメージセンサ。
【請求項５】
前記スリット付きフードの形状をキャップ形状とし、このキャップ形状のスリット付きフードと前記ハウジングのいずれか一方に、両者を嵌合するための位置決め用の凸部を設け、他方には、該凸部と嵌まり合う位置決め用の穴または凹部を設けたことを特徴とする請求項４に記載のイメージセンサ。
【請求項６】
前記スリット付きフードのスリット部に、フード内への異物粒子の侵入を阻止するための透明保護膜を取り付けたことを特徴とする請求項１〜５のいずれかに記載のイメージセンサ。
【請求項７】
前記切欠き路を、曲線路と垂直路の複合路とし、該垂直路の上部に、前記一対の突起の上部突起の退避領域を設けたことを特徴とする請求項１〜６のいずれかに記載のイメージセンサ。
【請求項８】
請求項１〜７のいずれかに記載のイメージセンサを備える画像読取装置。
【発明の詳細な説明】
【技術分野】
【０００１】
本発明は、イメージセンサおよび画像読取装置に関し、特に光軸に対するスリットの位置精度および読取り光学系と原稿台ガラスとの距離精度の有利な向上を図ろうとするものである。
【背景技術】
【０００２】
光プリンタ等の書き込み光学系及びスキャナ等の読み取り光学系用のユニットには、イメージセンサが搭載されている。
密着型のイメージセンサ（コンタクトイメージセンサ）は、図１に示すように、棒状光源１、結像光学系２および受光素子（ラインイメージセンサ）３とで構成され、棒状光源１で原稿４を照射し、原稿４から反射した光を結像光学系２を介して受光素子３にて検出する仕組みになっている。なお、図中番号５は基板である。
そして、結像光学系２としては、主に平板状レンズアレイが用いられている。
【０００３】
上記した平板状レンズアレイは、球面あるいは非球面の微小レンズが所定のピッチで平板上に規則的に配置されたもので、かかるレンズアレイの材料としては透明樹脂等が用いられる。かような結像光学系において重要なことは、画質低下の原因となるゴーストや迷光を効果的に防止することである。画質低下の原因となるゴーストや迷光を防止するためには、結像に不要な光がレンズに入射しないようにしなければならず、そのためレンズ表面には遮光膜が設けられている。
【０００４】
しかしながら、レンズ表面に遮光膜を設けただけでは、レンズ内部で発生する迷光を防止することはできない。レンズ内部の迷光を防止するには、レンズ内部に遮光膜を設けて、隣のレンズから不必要な光が入射しないように各レンズを分離する必要があるが、レンズアレイを射出成型などの一体成形で作る場合には、レンズ内部に遮光膜を設けることはできない。
そこで、レンズの上方（原稿からの反射光が入射する側）にスリットを設けてゴーストや迷光の発生を防止する技術が提案されている（例えば特許文献１）。
【特許文献１】特開２００３−２０２４１１号公報
【０００５】
しかしながら、上記の技術には以下に述べるような問題あった。
１）採光用のスリットは、通常、イメージセンサヘの組込みが容易となるように、フード状部材に形成される。しかしながら、コンタクトイメージセンサでは、センサ光軸近傍に光源が配置されているため、スリット付きのフードが光源の光路を遮光してしまい、原稿への照明光が一部遮断されてしまうという問題があった。
すなわち、原稿に照射される光量は、光源と原稿の距離が近いほど大きくなるため、光源はセンサ光軸近傍に配置する必要がある。特に結像光学系として平板状レンズアレイを使用する場合には、レンズ幅が広くなるため、この点がとりわけ重要となる。
しかしながら、原稿面での光量が最大となる位置に光源を配置した場合、図１に示したように、スリット付きフードに照射光の一部が遮られてしまい、かえって光量が小さくなる。一方、照射光がフードによって遮られない位置に光源を設定すると、光源と原稿面の距離が離れるため、原稿面での光量はやはり小さくなり、画像の品質が低下するという問題がある。
【０００６】
２）スリットは、レンズ長手方向にわたって開口精度および直線精度すなわち受光精度が高くなければ、全てのゴーストを効果的に防止することができない。また、開口部で光が乱反射すると、ゴーストが発生して、画像品質が低下するという問題がある。
例えば、スリット付きフードを、樹脂の射出成型等により作製すると、樹脂成型品は自己形状保持強度が弱いため、受光精度が劣化し、レンズ長手方向全ての位置においてゴースト発生を防止することができなくなる。
【０００７】
そこで、発明者らは、上記の問題を解決すべく研究を重ねた結果、スリット付きフードとして、薄肉厚の金属製フードを用いることを特徴とするイメージセンサを開発し、特許文献２において開示した。
【特許文献２】特願2005−223844号明細書
【０００８】
上記の技術の開発により、光源をセンサ光軸近傍に配置することができるようになったため十分な照射光量が得られ、しかもスリットの開口精度および直線精度すなわち受光精度が高いイメージセンサが得られるようになった。
【発明の開示】
【発明が解決しようとする課題】
【０００９】
本発明は、上記の技術の改良に係るものである。
すなわち、本発明は、スリットを光軸に対して一層精度よく配置することにより、ゴーストの発生をより効果的に防止することができるイメージセンサを提案することを目的とする。
また、本発明は、読取り光学系と原稿台ガラスとの距離精度を向上させることにより、一層の画像品質の向上を図り得るイメージセンサを提案することを目的とする。
さらに、本発明は、読み取り光学系を有するハウジングを、そのベースフレームに適正に架設することにより、その運搬および取り扱いを容易ならしめたイメージセンサを提案することを目的とする。
【課題を解決するための手段】
【００１０】
さて、発明者らは、上記の課題を解決すべく鋭意検討を重ねた結果、以下に述べる知見を得た。
１）スリット付きフードとハウジングのそれぞれに位置決め用の穴を設け、該穴に位置決め用ピンを挿入して両者を固定することにより、光軸に対するスリットの位置精度を向上させることができる。なお、光源を、結像光学系の両側に設けた場合には、従来、この位置精度の確保は極めて困難であった。
２）上記した位置決め用ピンで、スリット付きフードとハウジングを固定する際、位置決め用ピンの設置位置を主走査方向の両端上面にすると共に、この位置決め用ピンのスリット面からの突出高さを一定とし、かつこの位置決め用ピンを介してスリット付きフードを原稿台ガラスに押圧するための圧縮スプリングを設置すれば、光学系と原稿台ガラスとの距離精度が格段に向上する。
３）読み取り光学系を有するハウジングをベースフレームに架設する際、ハウジングがベースフレームから容易に脱落しない構造とすることにより、その運搬および取り扱いが容易になる。
本発明は、上記の知見に立脚するものである。
【００１１】
すなわち、本発明の要旨構成は次のとおりである。
（１）原稿台ガラス上に載置された原稿に光を照射する棒状光源、該原稿から反射した光をスリットを介して採光するスリット付きフード、該スリットを通過した光を集光する結像光学系および該結像光学系を通過した光を受光する受光素子を、ハウジングに組み込んだ構造になるイメージセンサにおいて、
該スリット付きフードとして、薄肉厚の金属製フードを用いること、
該金属製フードの主走査方向両端上面および該ハウジングの相当位置にそれぞれ位置決め用の穴を設け、該穴に位置決め用ピンを挿入して、両者を固定すること、
該ハウジングを、該位置決め用ピンを介して該原稿台ガラスに押圧するための圧縮スプリングを設置すること、
該ハウジングの主走査方向両端側面に、上下一対の突起を設けると共に、該ハウジングを内蔵するベースフレームの両端面に、該突起を導き入れる切欠き路を設けること
を特徴とするイメージセンサ。
【００１２】
（２）前記スリット付きフードは、棒状光源側の角部分を面取り形状としたことを特徴とする上記（１）に記載のイメージセンサ。
【００１３】
（３）前記スリット付きフードに、強度向上のためのベンド部を長手方向にわたって設けたことを特徴とする上記（１）または（２）に記載のイメージセンサ。
【００１４】
（４）前記棒状光源を、前記結像光学系の両側に設けたことを特徴とする上記（１）〜（３）のいずれかに記載のイメージセンサ。
【００１５】
（５）前記スリット付きフードの形状をキャップ形状とし、このキャップ形状のスリット付きフードと前記ハウジングのいずれか一方に、両者を嵌合するための位置決め用の凸部を設け、他方には、該凸部と嵌まり合う位置決め用の穴または凹部を設けたことを特徴とする上記（４）に記載のイメージセンサ。
【００１６】
（６）前記スリット付きフードのスリット部に、フード内への異物粒子の侵入を阻止するための透明保護膜を取り付けたことを特徴とする上記（１）〜（５）のいずれかに記載のイメージセンサ。
【００１７】
（７）前記切欠き路を、曲線路と垂直路の複合路とし、該垂直路の上部に、前記一対の突起の上部突起の退避領域を設けたことを特徴とする上記（１）〜（６）のいずれかに記載のイメージセンサ。
【００１８】
（８）上記（１）〜（７）のいずれかに記載のイメージセンサを備える画像読取装置。
【発明の効果】
【００１９】
スリット付きフード（以下、スリットフードという）として、薄肉厚の金属板を用いることによって、部材の薄肉化が図れるため、樹脂等でスリットフードを形成した場合と比較して、光源からの光が遮断されにくくなる。また、金属製としたことで、自己形状保持強度が大きくなり、受光精度が向上する。この効果は、フードの長手方向にわたって、強度向上のためのベンド部を設けることにより、一層向上する。さらに、スリットフードの光源側の角部分を面取り形状とすることにより、光源をさらに原稿に近づけても、光源からの光が遮断されなくなる。
【００２０】
スリットフードとハウジングにそれぞれ、位置決め用の穴を設け、該穴に位置決め用ピンを挿入して両者を固定することにより、光軸に対するスリットの位置精度を向上させることができる。
なお、この効果は、棒状光源を結像光学系の両側に配置し、スリットフードの形状をキャップ形状とし、このキャップ形状のスリットフードとハウジングのいずれか一方に凸部を、他方には穴または凹部を設け、これらを嵌合させる仕組みと複合させることによって、一層向上する。
【００２１】
位置決め用ピンで、スリットフードとハウジングを固定する際、位置決め用ピンの設置位置を主走査方向の両端上面とし、この位置決め用ピンのスリット面からの突出高さを一定とした上で、圧縮スプリングにより位置決め用ピンを介してスリットフードを原稿台ガラスに押圧することにより、光学系と原稿台ガラスとの距離精度が格段に向上する。
【００２２】
読み取り光学系を有するハウジングをベースフレームに架設する際、ハウジングがベースフレームから容易に脱落しない構造とすることにより、その運搬および取り扱いが大幅に向上する。
【発明を実施するための最良の形態】
【００２３】
以下、本発明を具体的に説明する。
まず、スリットフードとして、薄肉厚の金属板を用いる場合の作用効果を、図２に基づき説明する。
図２において、構成の骨子は、前掲した図１と共通するので同一の符号を付して示し、図中番号６が原稿から反射した光を採光するスリット、７がこのスリット６をそなえる金属製のフードである。かかるフードの素材である金属としては、鉄や鋼等が最適であるが、金属であれば非鉄金属であっても構わないのは言うまでもない。そして、８は原稿を載置するための原稿台ガラス、９はハウジングである。
本発明に係るイメージセンサの基本構造は、図２に示すとおり、原稿４に光を照射する棒状光源１と、この棒状光源１から原稿４に向けて照射され原稿で反射したまたは原稿を透過した光をスリット６を介して採光するスリットフード７と、このスリット６を通過した光を集光する結像光学系である平板状レンズアレイ２と、この平板状レンズアレイ２を通過した光を受光する受光素子３をそなえる基板５とを、ハウジング９に組み込んだ構造になっている。
【００２４】
同図に示したところにおいて、照明装置（棒状光源）１から射出した光は、原稿台ガラス８の上にセットした原稿４の略同一箇所を照射するようになっている。なお、照明装置は、図２に示したように、平板状レンズアレイの片側のみに１つ配置する構成にしてもよいし、後述するように両側に２つ配置する構成にしてもよい。
そして、スリット６は、開口部がセンサ光軸に略一致するような位置に設けられる。
【００２５】
さて、本発明では、上述したように、スリットフード７を金属製としたので、従来の樹脂製の場合に比べると大幅な薄肉化を達成することができる。従って、棒状光源１の配置位置を従来と同じ（図１と同じ）にした場合には、このスリットフード７によって遮光される照明光の割合が大幅に減少する。その結果、画像品質の向上を図ることができる。
【００２６】
ところで、図２からも明らかなように、本発明に従いスリットフード７を金属製にすると樹脂製の場合に比べると大幅な薄肉化ができるので、フード７の厚みを薄くできた分だけ棒状光源１をセンサ光軸に近づけることが可能となる。
しかしながら、棒状光源１を、単にセンサ光軸に近づけた場合には、やはりスリットフード７で照射光の一部が遮られてしまい、その分光量が少なくなる。
【００２７】
そこで、本発明では、棒状光源１をセンサ光軸に近づけても、照射光がスリットフード７で遮光されないように、図３に示すように、スリットフード７の棒状光源側の角部分を面取り形状とするのである。
このような構成とすることにより、光源の光路が確保され、照射光はスリットフード７で遮光されることなく全て原稿４に向かうことになり、光量を大幅に増量することが可能となる。図中、番号10が面取り部である。
【００２８】
また、本発明では、スリットフード７の強度を一層向上させ、レンズ長手方向にわたる開口精度および直線精度すなわち受光精度を高くするために、スリットフード７にその長手方向にわたってベンド部を設けることもできる。
かかるベンド部は、棒状光源の光路及び樹脂レンズプレートの入光光路の邪魔にならないように、図４に示すように、スリットフード７の棒状光源側の角部分に設けた面取り部10に形成することが有利である。図中、番号11がベンド部である。
【００２９】
次に、棒状光源を、平板状レンズアレイの両側にそれぞれ配置する場合について説明する。
この場合には、スリットフードは、棒状光源を平板状レンズアレイの両側に配置する必要上、キャップ形状とする必要がある。そして、棒状光源側の角部分すなわちキャップの両肩部は面取り形状とすること好ましい。さらに好ましくは、図５に示すように、面取り部10に、強度向上のためのベンド部11を長手方向にわたって設けることである。
【００３０】
また、本発明では、スリットフード内へのゴミ等の異物粒子の侵入を阻止するために、図５に示したように、スリット部に透明フィルムのような透明保護膜12を取り付けることもできる。
なお、かような透明フィルムを取り付けるに際しては、図５に示したように、フードの外側から貼着してもよいし、また図６(a)に示すように、フードの内側から貼着してもよい。さらに、図６(b)に示すように、スリット部に直接、透明樹脂を充填するようにしてもよい。
ここに、透明保護膜12の素材としては、透光率の高い材料であればどのような材料でもよく、特に限定はされないが、アクリル樹脂等がとりわけ有利に適合する。
【００３１】
さらに、スリットフードをキャップ形状とした場合、スリットフード７に設けたスリット６は、光軸に対して精度良く配置する必要があるので、ハウジング９に、スリットを位置決め出来る段差を設けて、双方の嵌合によりスリット位置の精度を高めることが望ましい。
このような構成にすることにより、平板状レンズアレイの両側から光を照射することができるので、棒状光源を平板状レンズアレイの片側のみに配置する場合に比べて、光量を倍増することができる。
【００３２】
なお、かようなキャップ形状のスリットフード７を、ハウジング９に組み込むには、図６に示すように、例えばハウジング９に、両者を嵌合するための位置決め用の凸部13をスリットフード７の長手方向に数ヶ所設け、一方スリットフード７には、該凸部13と嵌まり合う位置決め用の穴または凹部を設けて、両者を嵌合させるようにすればよい。かような凸部および穴（または凹部）は、上記と逆に配置してもよいのは言うまでもない。
このような構造とすることにより、スリットフードとハウジングの取付け作業性が向上し、コストの低減を図ることができる。
【００３３】
本発明において、照明装置（棒状光源）の取り付け角度は、原稿台ガラスと照明装置の出射面が平行な場合を０°とすると、０°より大きく45°以下とするのが好ましい。０°とすると原稿台ガラスで照明光が全反射してしまい、また45°を超えるとイメージセンサの高さ寸法が大きくなるだけでなく、配光性が悪化するからである。
上記の照明装置としては、例えば白色の樹脂ケース内にアクリルなどの透明樹脂からなる棒状導光体を収納したものが有利に適合する。樹脂ケースの少なくとも一端には発光ユニットが取り付けられ、この発光ユニットからの光が棒状導光体内で全反射して、棒状導光体の射出面から光が射出され、上記した原稿に照射される。
【００３４】
平板状レンズアレイは、球面あるいは非球面の微小レンズが所定のピッチで平板上に規則的に配置された樹脂レンズプレートを、各微小レンズの光軸が一致するように、少なくとも２枚重ね合わせて形成される樹脂正立レンズアレイが好適である。
かような樹脂レンズプレートは射出成型により作製することができる。射出成型により作製された樹脂レンズプレートは、長尺の長方形状であり、中央部のレンズ形成領域には、樹脂レンズプレートの長手方向（イメージセンサの主走査方向に相当する）に多数の球面あるいは非球面の微小レンズが配置され、長手方向に直交する方向（副走査方向）に複数列の球面あるいは非球面の微小レンズが配置された構造になっている。
かかる樹脂レンズプレートは、焦点深度が比較的深いので、原稿の浮きによる原稿照度の低下や、レンズの焦点ズレによる読みとり画像のボケ等が発生しにくく、読みとり画像品位が高いという利点もある。
【００３５】
かかるレンズプレートは、レンズプレートの周囲に設けたアンダーカット部と、ハウジングに設けた突起部とを嵌合させて、ハウジング中に収納される。レンズプレートの周囲がハウジングで覆われることによって、原稿からレンズに入射する光のうち、像点の結像に寄与しない光線や外乱光を遮蔽することができる。ハウジングの内壁には光吸収性処理が施すことが好ましい。
【００３６】
フードに設けるスリットの幅は、レンズプレートのレンズが形成されている領域（レンズ形成領域）の副走査方向の幅と等しいかまたはそれよりも狭くする。
スリットフードは、金属製であれば特に限定はされないが、特に剛性が高い鋼板製とするのが好適である。
【００３７】
ここに、スリットの断面形状は、図８に示すように、入射側（原稿からの反射光が入射する側）の方が、レンズ側よりも開口部面積が小さくなるような台形とすることが有利である。そして、この台形断面における傾斜角θは、レンズアレイの視野角と同一かまたはそれよりも大きい角度とすることが好ましい。というのは、傾斜角θが視野角よりも小さいと、図９に示すように、開口部の側壁部で光が反射し、ゴーストが発生する原因になるからである。
なお、視野角とは、以下の角度をいう。
原稿の１点から出射した光線は、複層レンズアレイ上の任意のマイクロレンズに入射した後、光センサアレイ上の、原稿の１点に対応する画素に入射する。この光センサアレイに入射する光線のうち、レンズ光軸から最も大きく傾いた光線の角度のことを視野角という。
【００３８】
次に、棒状光源を平板状レンズアレイの両側にそれぞれ配置する場合における、スリットフードとハウジングの組み立てについて説明する。
この場合に、両者の組み立ては、例えば図10および図11に示すように、フリットフード７の主走査方向両端上面およびハウジング９の相当位置にそれぞれ位置決め用の穴を設け、この穴に位置決め用ピンを挿入して、両者を固定するのである。図中、番号14が金属製フードに設けた位置決め用の穴、15がハウジングに設けた位置決め用の穴、そして16が位置決め用ピンである。
【００３９】
このように、スリットフード７とハウジング９にそれぞれ、同径の位置決め用穴14，15を設け、これらの穴14，15に位置決め用ピン16を挿入して両者を固定することにより、光軸に対するスリットの位置精度を、主走査方向および副走査方向方向いずれについても向上させることができる。
なお、この効果は、前掲図７に示したような、キャップ形状のスリットフードの底部またはハウジングの相当位置のいずれか一方に位置決め用の凸部を、他方には同じく位置決め用の穴または凹部を設け、これらを嵌合させる仕組みと複合させることによって、さらに向上する。
【００４０】
また、上記したように、スリットフード７およびハウジング９の主走査方向両端上面にそれぞれ挿入する位置決め用ピン16のスリット面からの突出高さを、一定の高さとした上で、図12に示すように、圧縮スプリング17を用いてスリットフード７を原稿台ガラス８に押圧する仕組みとすることにより、光学系と原稿台ガラスとの距離を常に一定に保つことができ、両者の距離精度が格段に向上する。
【００４１】
このためには、図示したように、位置決め用ピン16の頭頂部は、平坦面とすることが好ましい。
また、かかる位置決め用ピン16の素材としては、耐摩耗性および摺動性に優れるＵＰＥ（超高分子ポリエチレン）、ＰＥＥＫ（ポリエーテルエーテルケトン）およびＭＣナイロン等が有利に適合する。
【００４２】
ところで、本発明では、上述したとおり、圧縮スプリングにより位置決め用ピンを介してスリットフードを原稿台ガラスに押圧する仕組みとしたため、図12に示したように、ハウジング９の主走査方向両端側面に、上下一対の突起18を設けると共に、ハウジング９を内蔵するベースフレーム19の両端面に、かような突起18を導き入れる切欠き路20を設けることが不可欠である。
しかしながら、図12に示した構造では、切欠き路20が垂直路のみからなっているため、運搬時や取り扱い時に圧縮スプリング17の反力によって、ハウジング９がベースフレーム19から外れるおそれがある。
【００４３】
そこで、かようなおそれをなくすためには、図13に示すように、切欠き路20を、曲線路20−ａと垂直路20−ｂとの複合路とし、垂直路20−ｂの上部に、上下一対の突起18の上部突起の退避領域20−ｃを設けてやればよい。
このような構造にすれば、運搬時や取り扱い時においても、ハウジング９がベースフレーム19から外れるおそれはない。また、装着時には、圧縮スプリング17の反力によって、スリットフード７を原稿台ガラス８に適切な圧力で押し付けることができる。
【００４４】
そして、上述したようなイメージセンサを画像読取装置に搭載することにより、小型でかつ受光精度のよい画像読取装置を得ることができる。
【図面の簡単な説明】
【００４５】
【図１】従来のコンタクトイメージセンサの断面図である。
【図２】本発明に従う好適コンタクトイメージセンサの断面図である。
【図３】スリットフードの棒状光源側の角部分を面取り形状とした本発明に従うコンタクトイメージセンサの断面図である。
【図４】スリットフードの面取り部に形成したベンド部を示した図である。
【図５】棒状光源を平板状レンズアレイの両側に配置した場合における、本発明に従う好適コンタクトイメージセンサの断面図である。
【図６】スリット部への透明保護膜の取り付け要領を示した図である。
【図７】スリットフードをキャップ形状とした場合における、スリットフードとハウジングの嵌合要領を示した図である。
【図８】本発明に従う好適スリット断面形状を示した図である。
【図９】従来のスリット断面形状を示した図である。
【図１０】スリットフードとハウジングにそれぞれ設けた位置決め用穴に位置決め用ピンを挿入して両者を固定した状態を示す斜視図である。
【図１１】スリットフードとハウジングにそれぞれ設けた位置決め用穴に位置決め用ピンを挿入して両者を固定した状態を示す断面図である。
【図１２】圧縮スプリングによりスリットフードを原稿台ガラスに押圧する状態を示した図である。
【図１３】曲線路と垂直路の複合路からなる切欠き路を示した図である。
【符号の説明】
【００４６】
１ 棒状光源
２  結像光学系（平板状レンズアレイ）
３  受光素子（ラインイメージセンサ）
４  原稿
５  基板
６  スリット
７  フード
８  原稿台ガラス
９  ハウジング
10  面取り部
11  ベンド部
12  透明保護膜
13  位置決め用凸部
14  金属製フードに設けた位置決め用の穴
15  ハウジングに設けた位置決め用の穴
16  位置決め用ピン
17  圧縮スプリング
18  突起
19  ベースフレーム
２０切欠き路
【図１】
2007057995.tif 000003
【図２】
2007057995.tif 000004
【図３】
2007057995.tif 000005
【図４】
2007057995.tif 000006
【図５】
2007057995.tif 000007
【図６】
2007057995.tif 000008
【図７】
2007057995.tif 000009
【図８】
2007057995.tif 000010
【図９】
2007057995.tif 000011
【図１０】
2007057995.tif 000012
【図１１】
2007057995.tif 000013
【図１２】
2007057995.tif 000014
【図１３】
2007057995.tif 000015